(57)【特許請求の範囲】
【請求項１】
内容物が収容される容器本体の口部に上方付勢状態で下方移動自在に配設されるステムを有する吐出器本体と、
上下方向に延在するとともに上端にノズル孔が形成され、その内部が前記ステム内に連通する一対のノズル部材と、
これらのノズル部材と前記ステムとを連結する連結部材と、を備える吐出器であって、
前記連結部材は、前記ステムに連結されるとともに、前記ステム内に連通する連通孔が形成された下側連結部材と、前記下側連結部材に連結された上側連結部材と、を備え、
前記上側連結部材は、前記下側連結部材に連結される有頂筒状の基体部と、前記基体部の天壁部に立設され、前記一対のノズル部材が各別に装着される一対の装着部と、を備えるとともに、前記一対のノズル部材を互いが対向する方向に接近および離間させるように、弾性変形可能な軟材質で形成され、
前記装着部は筒状に形成され、その内部が前記基体部の内部に連通していることを特徴とする吐出器。
【請求項２】
前記一対のノズル部材が、上方に向かうに従い、互いに漸次離間するように、前記連結部材に取り付けられていることを特徴とする請求項１に記載の吐出器。
【請求項３】
前記連結部材のうち、前記一対のノズル部材が各別に装着された装着部同士の間に位置する股部には、前記吐出器本体の上面視で、前記一対のノズル部材が対向する方向の交差方向に延びる凹溝が形成され、
前記股部は、軟材質で形成されていることを特徴とする請求項１又は２に記載の吐出器。
【発明の詳細な説明】
【技術分野】
【０００１】
本発明は、吐出器に関する。
【背景技術】
【０００２】
従来から、点鼻剤などの内容物を鼻孔内に吐出する吐出器として、使用時の手間や衛生面などを考慮し、鼻孔内に挿入するノズル部材が一対備えられたものが知られている。
この種の吐出器としては、例えば特許文献１に示されるような、一対のノズル部材を有する噴霧アダプタが、内容物が収容されるシリンジに装着されたものや、一対のノズル部材を有する吐出器が、内容物が収容される容器本体に装着されたものなどが知られている。
【先行技術文献】
【特許文献】
【０００３】
【特許文献１】特許第３３７１２２２号公報
【発明の概要】
【発明が解決しようとする課題】
【０００４】
しかしながら、上記した従来の吐出器では、一対のノズル部材間の距離が固定されているため、当該吐出器の使用者における鼻孔間の距離によっては、一対のノズル部材を鼻孔内に挿入させ難いことがあり、使い勝手に改善の余地があった。
【０００５】
本発明は、このような事情に鑑みてなされたものであって、使い勝手を良好にすることができる吐出器を提供することを目的とする。
【課題を解決するための手段】
【０００６】
上記課題の解決手段として、本発明は、以下の手段を提供する。
本発明は、内容物が収容される容器本体の口部に上方付勢状態で下方移動自在に配設されるステムを有する吐出器本体と、上下方向に延在するとともに上端にノズル孔が形成され、その内部が前記ステム内に連通する一対のノズル部材と、これらのノズル部材と前記ステムとを連結する連結部材と、を備える吐出器であって、前記連結部材は、前記ステムに連結されるとともに、前記ステム内に連通する連通孔が形成された下側連結部材と、前記下側連結部材に連結された上側連結部材と、を備え、前記上側連結部材は、前記下側連結部材に連結される有頂筒状の基体部と、前記基体部の天壁部に立設され、前記一対のノズル部材が各別に装着される一対の装着部と、を備えるとともに、前記一対のノズル部材を互いが対向する方向に接近および離間させるように、弾性変形可能な軟材質で形成され、前記装着部は筒状に形成され、その内部が前記基体部の内部に連通していることを特徴とする吐出器を提供する。
【０００７】
この発明に係る吐出器では、ノズル部材を互いが対向する方向に接近および離間させるように連結部材の少なくとも一部が弾性変形可能な軟材質で形成されているので、一対のノズル部材間の距離が鼻孔の間隔と適合していなくても、連結部材の軟材質部分を弾性変形させ、ノズル部材を鼻孔内に挿入することができる。これにより、使用者の鼻孔間の距離に応じてノズル部材の対向方向の相互間距離を調整することができ、使用者の鼻孔間の距離によらず好適にノズル部材を鼻孔に挿入できるので、使い勝手を良好にすることができる。
【０００８】
また、上記吐出器では、前記一対のノズル部材が、上方に向かうに従い、互いに漸次離間するように、前記連結部材に取り付けられていてもよい。
【０００９】
この場合、ノズル部材を鼻孔内に挿入する過程で、一対のノズル部材を鼻孔の内面に摺接させたときに、一対のノズル部材を互いが対向する方向に沿って容易に接近および離間させることが可能になり、使い勝手をより良好にすることができる。
【００１０】
また、上記吐出器では、前記連結部材のうち、前記一対のノズル部材が各別に装着された装着部同士の間に位置する股部には、前記吐出器本体の上面視で、前記一対のノズル部材が対向する方向の交差方向に延びる凹溝が形成され、前記股部は、軟材質で形成されていてもよい。
【００１１】
この場合、凹溝を起点にノズル部材を前述のように接近および離間させることが可能となり、ノズル部材を少ない力で接近および離間させることができるとともに、可動範囲も広げることもできるため、使い勝手をより良好にすることができる。
【発明の効果】
【００１２】
本発明の吐出器によれば、使い勝手を良好にすることができる。
【図面の簡単な説明】
【００１３】
【図１】本発明の一実施形態に係る吐出器の縦断面図である。
【図２】上記吐出器の上面図である。
【図３】上記吐出器の作用を説明する図である。
【発明を実施するための形態】
【００１４】
以下、図面を参照し、本発明の一実施形態に係る吐出器について説明する。
【００１５】
図１に示す吐出容器１は、内容物としての点鼻剤を鼻孔内に吐出する点鼻容器として用いられる。この吐出容器１は、内容物が収容される容器本体２と、該容器本体２内の内容物を吐出する吐出器１０と、を備えている。容器本体２は、有底筒状に形成され、吐出器１０は、その一部を容器本体２の口部４から容器本体２の内部に挿入した状態で配設されている。
【００１６】
以下では、容器本体２の横断面がなす中央を通る軸線Ｏに沿う方向を上下方向といい、上下方向に沿った容器本体２の底部３側を下側といい、その反対側を上側という。また、軸線Ｏに直交する方向を径方向といい、軸線Ｏの周回方向を周方向という。
【００１７】
吐出器１０は、内容物が収容される容器本体２の口部４に上方付勢状態で下方移動自在に配設されるステム１１を有する吐出器本体１２と、上下方向に延在するとともに上端にノズル孔１３が形成され、その内部がステム１１内に連通する一対のノズル部材１５Ａ、１５Ｂと、これらのノズル部材１５Ａ、１５Ｂとステム１１とを連結する連結部材１６と、を備えている。吐出器１０は、ステム１１が押し下げられることで作動する吐出器本体１２によって、容器本体２内の内容物を一対のノズル部材１５Ａ、１５Ｂの各ノズル孔１３から吐出させる。
【００１８】
吐出器本体１２は、本実施形態では、上下方向に延在するとともに容器本体２内に収容され、内部にステム１１の図示しない下端部が上下動自在に配設されたシリンダ１７と、ステム１１の下端部に設けられるとともにシリンダ１７の内部に上下摺動自在に配設された図示しないピストン部材と、ステム１１とシリンダ１７との間に介装されるとともにステム１１を上方付勢する図示しない付勢部材と、を備えている。ここで、ステム１１は、軸線Ｏと同軸に配設されている。また、シリンダ１７は、容器本体２の口部４内に挿通されるとともに、軸線Ｏと同軸に配置されている。
【００１９】
吐出器本体１２は、軸線Ｏと同軸に配置された装着キャップ１８を介して容器本体２の口部４に装着されている。装着キャップ１８は、上端部同士が連結された二重筒状に形成されシリンダ１７の上端部を挟持する挟持筒部１９と、挟持筒部１９に立設された内ガイド筒部２３と、容器本体２の口部４に螺着されるねじ筒部２０と、ねじ筒部２０の上端と挟持筒部１９の下端とを連結し、前記口部４の開口端縁上に配置される連結環部２１と、連結環部２１に立設された外ガイド筒部２２と、を備えている。
【００２０】
内ガイド筒部２３は、外ガイド筒部２２の径方向の内側に位置し、その上端は外ガイド筒部２２の上端よりも上方に位置している。また、ステム１１は、内ガイド筒部２３の内側に上下方向に沿って延設されている。
【００２１】
連結部材１６は、装着キャップ１８の上方に配置されてステム１１の上部に連結された下側連結部材１６Ａと、下側連結部材１６Ａの上部に連結された上側連結部材１６Ｂと、を備えている。
【００２２】
下側連結部材１６Ａは、例えばポリプロピレン、ポリエチレンテレフタレート等の合成樹脂材料で有頂筒状に形成され、その頂部２５にステム１１内に連通する連通孔２６が形成されている。この頂部２５の下面における連通孔２６の周縁には、下方に延びる嵌合筒部２７が形成されており、この嵌合筒部２７の内側に、ステム１１の上部が嵌合されて、下側連結部材１６Ａとステム１１とが連結されている。ここで、嵌合筒部２７は、内ガイド筒部２３の内側に配置されており、ステム１１の上下動に伴い、内ガイド筒部２３の内側を上下動するようになっている。
【００２３】
頂部２５の外周縁から下方に延びる周壁部２８は、下方に向かうに従い径方向の外側に漸次拡径する傾斜形状とされ、その下端部には、装着キャップ１８の外ガイド筒部２２の内側に配置される被ガイド外筒部２９が、下方に延設されている。また、周壁部２８の内周面には、装着キャップ１８の内ガイド筒部２３の外側に配置される被ガイド内筒部３０が、下方に延設されている。さらに、周壁部２８の下端部には径方向の外側に突出する環状の押下プレート部２８Ａが形成されている。
【００２４】
下側連結部材１６Ａの頂部２５の上面における連通孔２６よりも径方向の外側の位置には、装着筒部３１が立設され、この装着筒部３１に上側連結部材１６Ｂが装着されている。
【００２５】
上側連結部材１６Ｂは、例えばニトリルゴム、ブチルゴム、シリコンゴム、エラストマー、ウレタン等の弾性変形可能な軟材質で形成されている。上側連結部材１６Ｂは、装着筒部３１に外嵌される有頂筒状の基体部３２と、基体部３２の天壁部３３から立設され、一対のノズル部材１５Ａ，１５Ｂが各別に装着される一対の装着部３４Ａ，３４Ｂと、を一体に有している。
尚、基体部３２を装着筒部３１から取り外して、連結部材１６やノズル部材１５Ａ、１５Ｂを洗浄することもできる。
【００２６】
装着部３４Ａ，３４Ｂは筒状に形成されており、その内部が基体部３２の内部に連通し、したがって、基体部３２および下側連結部材１６Ａの連通孔２６を通して、ステム１１内に連通している。装着部３４Ａ，３４Ｂは、軸線Ｏを径方向に挟んで対向し、かつ、上方に向かうに従い互いに漸次離間するように天壁部３３に形成されている。
【００２７】
それぞれ装着部３４Ａ，３４Ｂの外周部には、当該装着部３４Ａ，３４Ｂと同軸に配設され、かつ、当該装着部３４Ａ，３４Ｂを囲う係合筒部３５Ａ，３５Ｂが形成されている。ノズル部材１５Ａ，１５Ｂはそれぞれ、その下端部が装着部３４Ａ，３４Ｂの外周部と、係合筒部３５Ａ，３５Ｂの内周部との間に挟み込まれることで、装着部３４Ａ，３４Ｂに装着されている。ノズル部材１５Ａ，１５Ｂは装着部３４Ａ，３４Ｂと同軸に配設されていて、ノズル部材１５Ａ，１５Ｂは、上方に向かうに従い、互いに漸次離間するように、装着部３４Ａ，３４Ｂに取り付けられている。
ここで、係合筒部３５Ａ，３５Ｂを詳しく説明すると、これら係合筒部３５Ａ，３５Ｂはそれぞれ、装着部３４Ａ，３４Ｂの外周部から当該装着部３４Ａ，３４Ｂの径方向の外側に突出する環状のフランジ部５０Ａ，５０Ｂと、フランジ部５０Ａ，５０Ｂの外周縁から装着部３４Ａ，３４Ｂと同軸の斜め上方に向けて突出する突出筒部５１Ａ，５１Ｂと、を一体に有して構成されている。
【００２８】
そして、ノズル部材１５Ａ，１５Ｂはそれぞれ、内筒体４０Ａ，４０Ｂと、内筒体４０Ａ，４０Ｂを内装する外筒体４１Ａ，４１Ｂと、を有し、外筒体４１Ａ，４１Ｂの下端は内筒体４０Ａ，４０Ｂの下端よりも下方に位置している。外筒体４１Ａ，４１Ｂの下端部は、薄肉状に形成されており、その外周部には環状に張り出す係止突起４２Ａ，４２Ｂが形成されている。ノズル部材１５Ａ，１５Ｂは、その外筒体４１Ａ，４１Ｂの下端部を、装着部３４Ａ，３４Ｂの外周部と、係合筒部３５Ａ，３５Ｂ（突出筒部５１Ａ，５１Ｂ）との間に挟み込み、かつ上記係止突起４２Ａ，４２Ｂを、係合筒部３５Ａ，３５Ｂ（突出筒部５１Ａ，５１Ｂ）の内周面に形成された凹部４３Ａ，４３Ｂに係止することによって、装着部３４Ａ，３４Ｂに装着されている。
【００２９】
外筒体４１Ａ，４１Ｂの上端部にそれぞれ、上記ノズル孔１３が形成され、内筒体４０Ａ，４０Ｂの下端はそれぞれ、装着部３４Ａ，３４Ｂの上端面に当接し、内筒体４０Ａ，４０Ｂの上端部に設けられた開口は、ノズル孔１３に連通している。
【００３０】
また、天壁部３３において、装着部３４Ａ，３４Ｂの基部間に位置する股部４６には、下方にへこんだ凹溝４５が形成されている。この凹溝４５は、図２に示すように、一対のノズル部材１５Ａ，１５Ｂが対向する方向Ｌの交差方向に延びており、本実施形態では、前記方向Ｌに直交する方向に延びている。なお、天壁部３３における凹溝４５の下方の部位は、下方に膨出している。
【００３１】
以下、上記吐出容器１の使用方法を説明すると、まず使用者は、自身の鼻孔近くまで吐出容器１を運び、一対のノズル部材１５Ａ，１５Ｂをそれぞれ左右の鼻孔に挿入させる。
ここで、吐出容器１では、ノズル部材１５Ａ，１５Ｂが装着された上側連結部材１６Ｂが軟材質で形成されることで、軟材質の弾性変形可能な性質を利用しこれを外力によって変形させることで、図３に示すように、ノズル部材１５Ａ，１５Ｂを互いが対向する方向Ｌに接近および離間させることができる。
このため、使用者は、ノズル部材１５Ａ，１５Ｂを鼻孔に押し当てノズル部材１５Ａ，１５Ｂを離間させたり、ノズル部材１５Ａ，１５Ｂを指で押してノズル部材１５Ａ，１５Ｂを接近させたりして、自身の鼻孔間の距離に応じた状態としてノズル部材１５Ａ，１５Ｂを鼻孔内に挿入することができる。
【００３２】
そして、適正にノズル部材１５Ａ，１５Ｂを鼻孔内に挿入した後は、使用者は、下側連結部材１６Ａの押下プレート部２８Ａを指で押下して、ステム１１を押し下げる。
そして、このステム１１の押し下げによって吐出器本体１２が作動することで、容器本体２内の内容物は、ステム１１、連結部材１６、およびノズル部材１５Ａ，１５Ｂを通して、ノズル孔１３から吐出する。これにより、使用者の鼻孔内に内容物が噴射される。
【００３３】
以上説明したように、本実施形態では、ノズル部材１５Ａ，１５Ｂを互いが対向する方向に接近および離間させるように連結部材１６うちの上側連結部材１６Ｂが弾性変形可能な軟材質で形成されているので、一対のノズル部材１５Ａ，１５Ｂ間の距離が鼻孔の間隔と適合していなくても、連結部材１６の軟材質部分を弾性変形させ、ノズル部材１５Ａ，１５Ｂを鼻孔内に挿入することができる。これにより、使用者の鼻孔間の距離に応じてノズル部材１５Ａ，１５Ｂの対向方向の相互間距離を調整することができ、使用者の鼻孔間の距離によらず好適にノズル部材１５Ａ，１５Ｂを鼻孔に挿入できるので、使い勝手を良好にすることができる。
【００３４】
また、本実施形態では、ノズル部材１５Ａ，１５Ｂが、上方に向かうに従い、互いに漸次離間するように、連結部材１６に取り付けられているが、この場合、ノズル部材１５Ａ，１５Ｂを鼻孔内に挿入する過程で、一対のノズル部材１５Ａ，１５Ｂを鼻孔の内面に摺接させたときに、一対のノズル部材１５Ａ，１５Ｂを互いが対向する方向に沿って容易に接近および離間させることが可能になり、使い勝手をより良好にすることができる。
【００３５】
さらに、本実施形態では、連結部材１６のうち、ノズル部材１５Ａ，１５が各別に装着された装着部３４Ａ，３４Ｂ同士の間に位置する股部４６に、上面視で、ノズル部材１５Ａ，１５Ｂが対向する方向Ｌの交差方向に延びる凹溝４５が形成されている。
この場合、凹溝４５を起点にノズル部材１５Ａ，１５Ｂを接近および離間させることが可能となり、ノズル部材１５Ａ，１５Ｂを少ない力で接近および離間させることができるとともに、可動範囲を広げることもできるため、使い勝手をより良好にすることができる。
【００３６】
以上、本発明の実施形態を説明したが、本発明の技術的範囲は上述の実施形態に限定されるものではなく、本発明の趣旨を逸脱しない範囲において種々の変更を加えることが可能である。
【００３７】
例えば、上述の実施形態では、連結部材１６のうちの上側連結部材１６Ｂについて軟材質で形成するものとしたが、軟材質とする部分は、このような態様に限定されず、例えば、装着部３４Ａ，３４Ｂに対応する部分のみを軟材質としてもよく、この場合にも、ノズル部材１５Ａ，１５Ｂを互いが対向する方向に接近および離間させることができる。
【００３８】
また、上述の実施形態では、連結部材１６を、上側連結部材１６Ｂと下側連結部材１６Ａとの二部材の構成である態様を説明したが、連結部材１６は、一部材として構成しても構わない。さらには、連結部材１６は、３部材以上の部材で構成されるようにしてもよい。
【００３９】
また、上述の実施形態では、凹溝４５が、ノズル部材１５Ａ，１５Ｂが対向する方向Ｌに直交する方向に延びる態様を説明したが、必ずしも方向Ｌに直交している必要はなく、当該直交方向に対して傾斜した方向であってもよい。
【符号の説明】
【００４０】
２  容器本体
４  口部
１０  吐出器
１１  ステム
１２  吐出器本体
１３  ノズル孔
１５Ａ、１５Ｂ  ノズル部材
３４Ａ，３４Ｂ  装着部
４５  凹溝
４６  股部
【図１】
0005815398.tif 000002
【図２】
0005815398.tif 000003
【図３】
0005815398.tif 000004